(57)【要約】【課題】袋体とは別に用意された提手と一緒に用いることで手提げ袋として持ち運ぶことができるようにし、製造時に提手を袋体に取り付ける必要がなくなるとともに持ち運ぶ際に袋体の開口部を閉じることができるようにし、しかも、持ち運び時に提手から離脱し難くする。【解決手段】袋体２は、上端に開口部２ａを有する。袋体２は、開口部２ａが閉じるように扁平にされた開口部２ａ側の部分が巻き折りされることによって巻き折り部が形成された状態で、前記巻き折り部の付近に提手が着脱可能に装着される。前記巻き折りによる折り線及び前記上端により生ずる複数の区画のうちの少なくとも１つの区画の少なくとも一部の領域に、当該領域の可撓性を低下させる可撓性低下片１１，１１’が付着される。【選択図】図２
2014237461.tif 000002
【特許請求の範囲】
【請求項１】
上端に開口部を有する袋体であって、前記開口部が閉じるように扁平にされた前記開口部側の部分が巻き折りされることによって巻き折り部が形成された状態で、前記巻き折り部の付近に提手が着脱可能に装着される袋体において、
前記巻き折りによる折り線及び前記上端により生ずる複数の区画のうちの少なくとも１つの区画の少なくとも一部の領域に、当該領域の可撓性を低下させる可撓性低下片が付着されたことを特徴とする袋体。
【請求項２】
前記巻き折り部の下辺外側部に相当する箇所の少なくとも一部に、スリットが形成されたことを特徴とする請求項１記載の袋体。
【請求項３】
上端に開口部を有する袋体であって、前記開口部が閉じるように扁平にされた前記開口部側の部分が巻き折りされることによって巻き折り部が形成された状態で、前記巻き折り部の付近に提手が着脱可能に装着される袋体において、
前記巻き折り部の下辺外側部に相当する箇所の少なくとも一部に、スリットが形成されたことを特徴とする袋体。
【請求項４】
前記スリットは、前記巻き折り部の一端及び他端に相当する箇所に達しないように形成されたことを特徴とする請求項２又は３記載の袋体。
【請求項５】
前記提手は、把持部と、該把持部の下部に設けられた胴部とを有し、
前記胴部は、互いに対向する一対の対向片を有し、
前記一対の対向片は、前記一対の対向片の上端部をそれぞれ基端として前記一対の対向片の下端部間を押し広げ得るとともにその押し広げの際に前記下端部間が狭まる方向に付勢力が生ずるように、弾性を有し、
前記一対の対向片は、前記一対の対向片の下端部付近において、内側に突出した突出部を有し、
前記突出部よりも上側において前記一対の対向片の間に前記巻き折り部が納められることによって、前記巻き折り部に前記提手が着脱可能に装着される、
ことを特徴とする請求項１乃至４のいずれかに記載の袋体。
【請求項６】
請求項１乃至５のいずれかに記載の袋体と、前記提手とを備えたことを特徴とする袋体セット。
【発明の詳細な説明】
【技術分野】
【０００１】
本発明は、袋体及びこれを用いた袋体セットに関するものである。
【背景技術】
【０００２】
従来から、上部が開口しかつ開口部の縁に一対の把持ひもが取り付けられてなる手提げ袋（例えば、下記特許文献１）が提供されている。
【先行技術文献】
【特許文献】
【０００３】
【特許文献１】特開平７−１４９３５４号公報
【発明の概要】
【発明が解決しようとする課題】
【０００４】
しかしながら、前記従来の手提げ袋では、その製造時に、把持ひもを袋体に取り付けなければならないため、その製造に手数を要する。また、前記従来の手提げ袋では、持ち運ぶ際にも開口部が開いたままなので、収容した物品が外部から見えたり、物品が開口部から脱出してしまう可能性もある。
【０００５】
これに対し、上端に開口部を有する袋体を用意するとともに、前記袋体とは別に提手を用意し、持ち運ぶ際には、使用者が、前記開口部が閉じるように扁平にされた前記袋体の開口部側部分を巻き折りして巻き折り部を形成し、その状態で前記巻き折り部の付近に提手を着脱可能に装着すれば、手提げ袋として持ち運ぶことができる上に、製造時に提手を袋体に取り付ける必要がなくなるとともに、持ち運ぶ際に袋体の開口部を閉じることができる。
【０００６】
ここで、前記提手は、例えば、把持部と、該把持部の下部に設けられた胴部とを有するものとする。前記胴部は、互いに対向する一対の対向片を有する。前記一対の対向片は、前記一対の対向片の上端部をそれぞれ基端として前記一対の対向片の下端部間を押し広げ得るとともにその押し広げの際に前記下端部間が狭まる方向に付勢力が生ずるように、弾性を有する。前記一対の対向片は、前記一対の対向片の下端部付近において、内側に突出した突出部を有する。前記突出部よりも上側において前記一対の対向片の間に前記巻き折り部が納められることによって、前記巻き折り部に前記提手が着脱可能に装着される。
【０００７】
ところが、この場合には、提手を持って持ち運ぶ際に、袋体内に収容する物品の重量が大きいと、その重量によって、前記巻き折り部が巻き解かれ易く、袋体が提手から離脱してしまうおそれがある。
【０００８】
本発明は、このような事情に鑑みてなされたもので、袋体とは別に用意された提手と一緒に用いることで手提げ袋として持ち運ぶことができる上に、製造時に提手を袋体に取り付ける必要がなくなるとともに持ち運ぶ際に袋体の開口部を閉じることができ、しかも、持ち運び時に提手から離脱し難い袋体、及び、これを用いた袋体セットを、提供することを目的とする。
【課題を解決するための手段】
【０００９】
前記課題を解決するための手段として、以下の各態様を提示する。第１の態様による袋体は、上端に開口部を有する袋体であって、前記開口部が閉じるように扁平にされた前記開口部側の部分が巻き折りされることによって巻き折り部が形成された状態で、前記巻き折り部の付近に提手が着脱可能に装着される袋体において、前記巻き折りによる折り線及び前記上端により生ずる複数の区画のうちの少なくとも１つの区画の少なくとも一部の領域に、当該領域の可撓性を低下させる可撓性低下片が付着されたものである。
【００１０】
この第１の態様による袋体では、当該袋体とは別に用意された提手と一緒に用いることで手提げ袋として持ち運ぶことができる上に、製造時に提手を当該袋体に取り付ける必要がなくなるとともに持ち運ぶ際に当該袋体の開口部を閉じることができる。そして、この第１の態様による袋体では、前記巻き折りによる折り線及び前記上端により生ずる複数の区画のうちの少なくとも１つの区画の少なくとも一部の領域に、当該領域の可撓性を低下させる可撓性低下片が付着されているので、提手を持って持ち運ぶ際に、当該袋体内に収容する物品の重量が大きくても、前記巻き折り部が巻き解かれ難くなるため、当該袋体が提手から離脱し難くなる。
【００１１】
第２の態様による袋体は、前記第１の態様において、前記巻き折り部の下辺外側部に相当する箇所の少なくとも一部に、スリットが形成されたものである。
【００１２】
この第２の態様による袋体では、前記巻き折り部の下辺外側部に相当する箇所の少なくとも一部にスリットが形成されているので、提手を持って持ち運ぶ際に、提手の一部が前記スリットに係合する。このため、第２の態様によれば、当該袋体内に収容する物品の重量が大きくても、前記巻き折り部がより巻き解かれ難くなるため、当該袋体が提手からより離脱し難くなる。
【００１３】
第３の態様による袋体は、上端に開口部を有する袋体であって、前記開口部が閉じるように扁平にされた前記開口部側の部分が巻き折りされることによって巻き折り部が形成された状態で、前記巻き折り部の付近に提手が着脱可能に装着される袋体において、前記巻き折り部の下辺外側部に相当する箇所の少なくとも一部に、スリットが形成されたものである。
【００１４】
この第３の態様による袋体では、当該袋体とは別に用意された提手と一緒に用いることで手提げ袋として持ち運ぶことができる上に、製造時に提手を当該袋体に取り付ける必要がなくなるとともに持ち運ぶ際に当該袋体の開口部を閉じることができる。そして、この第３の態様による袋体では、前記巻き折り部の下辺外側部に相当する箇所の少なくとも一部にスリットが形成されているので、提手を持って持ち運ぶ際に、提手の一部が前記スリットに係合する。このため、第３の態様によれば、当該袋体内に収容する物品の重量が大きくても、前記巻き折り部が巻き解かれ難くなるため、当該袋体が提手から離脱し難くなる。
【００１５】
第４の態様による袋体は、前記第２又は第３の態様において、前記スリットは、前記巻き折り部の一端及び他端に相当する箇所に達しないように形成されたものである。
【００１６】
この第５の態様では、前記スリットが前記巻き折り部の一端及び他端に相当する箇所に達しないように形成されているので、前記スリットがその箇所に達するように形成されている場合に比べて、当該袋体における前記スリットの付近の強度の低下を低減することができる。もっとも、前記第２及び第３の態様では、前記スリットは、前記巻き折り部の一端及び／又は他端に相当する箇所に達するように形成されてもよい。
【００１７】
第５の態様による袋体は、前記第１乃至第４のいずれかの態様において、前記提手は、把持部と、該把持部の下部に設けられた胴部とを有し、前記胴部は、互いに対向する一対の対向片を有し、前記一対の対向片は、前記一対の対向片の上端部をそれぞれ基端として前記一対の対向片の下端部間を押し広げ得るとともにその押し広げの際に前記下端部間が狭まる方向に付勢力が生ずるように、弾性を有し、前記一対の対向片は、前記一対の対向片の下端部付近において、内側に突出した突出部を有し、前記突出部よりも上側において前記一対の対向片の間に前記巻き折り部が納められることによって、前記巻き折り部に前記提手が着脱可能に装着されるものである。
【００１８】
この第５の態様は、前記提手の例を挙げたものである。
【００１９】
第６の態様による袋体セットは、前記第１乃至第５のいずれかの態様による袋体と、前記提手とを備えたものである。
【発明の効果】
【００２０】
本発明によれば、袋体とは別に用意された提手と一緒に用いることで手提げ袋として持ち運ぶことができる上に、製造時に提手を袋体に取り付ける必要がなくなるとともに持ち運ぶ際に袋体の開口部を閉じることができ、しかも、持ち運び時に提手から離脱し難い袋体、及び、これを用いた袋体セットを、提供することができる。
【図面の簡単な説明】
【００２１】
【図１】本発明の第１の実施の形態による袋体セットの使用状態を示す概略斜視図である。
【図２】図１中の袋体の、開口部を完全に開口した状態を示す概略斜視図である。
【図３】図１中の袋体の、開口部を中程度開口した状態を示す概略斜視図である。
【図４】図１中の袋体の巻き折りの途中状態を示す概略斜視図である。
【図５】図１中の提手を示す正面図である。
【図６】図１中の提手を示す平面図である。
【図７】図１中の提手を示す底面図である。
【図８】図１中の提手を示す右側面図である。
【図９】図５中のＢ−Ｂ矢視断面図である。
【図１０】図５中のＣ−Ｃ矢視断面図である。
【図１１】図１中の提手の一対の対向片の下端部間を押し広げた状態を示す断面図である。
【図１２】図５中のＤ−Ｄ矢視断面図である。
【図１３】図８中のＥ−Ｅ矢視断面図である。
【図１４】図１中のＡ−Ａ矢視概略断面図である。
【図１５】本発明の第２の実施の形態による袋体セットで用いられる袋体の、開口部を完全に開口した状態を示す概略斜視図である。
【図１６】本発明の第３の実施の形態による袋体セットで用いられる袋体の、開口部を完全に開口した状態を示す概略斜視図である。
【図１７】本発明の第４の実施の形態による袋体セットで用いられる袋体の、開口部を完全に開口した状態を示す概略斜視図である。
【図１８】本発明の第４の実施の形態による袋体セットの使用状態を示す概略断面図である。
【発明を実施するための形態】
【００２２】
以下、本発明による袋体及び袋体セットについて、図面を参照して説明する。
【００２３】
［第１の実施の形態］
図１は、本発明の第１の実施の形態による袋体セット１の使用状態を示す概略斜視図である。本実施の形態による袋体セット１は、袋体２と、提手３とを備えている。
【００２４】
図２は、図１中の袋体２の、開口部２ａを完全に開口した状態を示す概略斜視図である。図３は、図１中の袋体２の、開口部２ａを中程度開口した状態を示す概略斜視図である。図４は、図１中の袋体２の巻き折りの途中状態を示す概略斜視図である。
【００２５】
袋体２は、上端に開口部２ａを有し、開口部２ａが閉じるように扁平にされた開口部２ａ側の部分が巻き折りにされることによって巻き折り部２ｂが形成された状態で、巻き折り部２ｂの付近に提手３が着脱可能に装着されるものである。
【００２６】
本実施の形態では、袋体２は、上端に開口部２ａを有する角底袋として構成されている。もっとも、本発明では、袋体２は、角底袋の形態に限らず、他の任意の形態を有していてもよい。
【００２７】
本実施の形態では、袋体２は紙で構成されている。もっとも、本発明では、袋体２を構成するシートの材質は何ら限定されるものではない。例えば、その材質として、通常の紙の他、合成紙、耐水紙、ラミネート加工した紙、フィルム加工した紙、プラスチックシート、任意のラミネートフィルム、布、化学繊維、不織布、皮革、織物、編物などを用いることができる。
【００２８】
本実施の形態では、袋体２は、開口部２ａが閉じるように襠部分を折り重ねて扁平にされた開口部２ａ側の部分が、２回折りで巻き折りされることによって、巻き折り部２ｂが形成されるようになっている。もっとも、巻き折り部２ｂの折り数は２回に限らず、３回折り以上でもよい。図２及び図３中の想像線Ｌ１，Ｌ２は、巻き折りによって袋体２の図２及び図３中の手前側のシートに形成される折り線に相当する。必要に応じて、想像線Ｌ１，Ｌ２に沿った折り曲げるべき線を視認することができるように、想像線Ｌ１，Ｌ２に沿った破線又は実線等を表面に印刷しておいてもよい。図２中の想像線Ｌ１’，Ｌ２’は、巻き折りによって袋体２の図２中の奥側のシートに形成される折り線に相当する。図３では、想像線Ｌ１’，Ｌ２’の図示は省略している。想像線Ｌ１，Ｌ１’は、巻き折りの１回目の折りによる折り線に相当し、想像線Ｌ２，Ｌ２’は、前記巻き折りの２回目の折りによる折り線に相当している。図４では、想像線Ｌ１’に相当する折り線（その符号もＬ１’を付している。）及び想像線Ｌ２’に相当する折り線（その符号もＬ２’を付している。）が現れている。
【００２９】
前記巻き折りによる折り線及び袋体２の上端により生ずる複数の区画（本実施の形態では、２つの区画）のうちの少なくとも１つの区画（本実施の形態では、袋体２の上端側の区画）の少なくとも一部の領域（本実施の形態では、図２中の手前側のシートにおける上端と想像線Ｌ１とで区画された領域のうちの大部分の領域、及び、図２中の奥側のシートにおける上端と想像線Ｌ１’とで区画された領域のうちの大部分の領域）に、当該領域の可撓性を低下させる可撓性低下片１１，１１’が付着されている。可撓性低下片１１，１１’としては、例えば厚紙や樹脂の薄板等を用いることができ、例えば接着剤により接着されることで、付着することができる。このとき、可撓性低下片１１，１１’は、接着剤が塗布された裏面を剥離紙で覆ったシールとして用意し、剥離紙を剥離して当該領域に付着してもよい。もっとも、可撓性低下片１１，１１’は、当該領域の可撓性を低下させて剛性を高めることができればよく、その材質は何ら限定されない。また、可撓性低下片１１，１１’のシートへの付着方法も接着剤による接着に限らない。さらに、可撓性低下片１１，１１’の一方のみを付着させてもよい。本実施の形態では、可撓性低下片１１，１１’は袋体２の内側面に付着されているが、外側面に付着してもよい。
【００３０】
図５は、図１中の提手３を示す正面図である。図６は、図１中の提手３を示す平面図である。図７は、図１中の提手３を示す底面図である。図８は、図１中の提手３を示す右側面図である。図９は、図５中のＢ−Ｂ矢視断面図である。図１０は、図５中のＣ−Ｃ矢視断面図である。図１１は、図１中の提手３の、一対の対向片２２Ａ，２２Ｂの下端部間を押し広げた状態を示す断面図であり、図１０に対応している。図１２は、図５中のＤ−Ｄ矢視断面図である。図１３は、図８中のＥ−Ｅ矢視断面図である。図１４は、図１中のＡ−Ａ矢視概略断面図であり、図１０及び図１１に対応している。
【００３１】
本実施の形態では、提手３は、把持部２１と、把持部２１の下部に設けられた胴部２２とを有しており、全体が樹脂で一体成形されることよって構成されている。胴部２２は、互いに対向する一対の対向片２２Ａ，２２Ｂを有している。
【００３２】
一対の対向片２２Ａ，２２Ｂは、一対の対向片２２Ａ，２２Ｂの上端部をそれぞれ基端として一対の対向片２２Ａ，２２Ｂの下端部間を押し広げ得るとともにその押し広げの際に前記下端部間が狭まる方向に付勢力が生ずるように、弾性を有する。図１１は、一対の対向片２２Ａ，２２Ｂの下端部間を押し広げた状態を示している。図７乃至図１０、図１２は、前記付勢力により、一対の対向片２２Ａ，２２Ｂの下端部間が狭まった状態に復帰した状態を示している。本実施の形態では、この復帰状態では、一対の対向片２２Ａ，２２Ｂの後述する突起部２２ａ，２２ｂ間に若干の隙間があくようになっているが、突起部２２ａと突起部２２ｂとの間が当接してその間に隙間があかないようになっていてもよい。
【００３３】
一対の対向片２２Ａ，２２Ｂは、それらの下端部付近において、内側に突出した突出部２２ａ，２２ｂを有している。図１及び図１４に示すように、突出部２２ａ，２２ｂよりも上側において一対の対向片２２Ａ，２２Ｂの間に巻き折り部２ｂが納められることによって、巻き折り部２ｂに提手３が着脱可能に装着される。
【００３４】
本実施の形態における袋体２では、当該袋体２とは別に用意された提手３と一緒に図１及び図１４に示すように用いることで手提げ袋として持ち運ぶことができる上に、製造時に提手３を当該袋体２に取り付ける必要がなくなるとともに持ち運ぶ際に当該袋体２の開口部２ａを閉じることができる。そして、本実施の形態における袋体２では、可撓性低下片１１，１１’が設けられているので、図１４に示す状態において、巻き折り部２ｂ全体としての可撓性が低下する。したがって、提手３を持って持ち運ぶ際に、当該袋体２内に収容する物品の重量が大きくても、巻き折り部２ｂが巻き解かれ難くなるため、当該袋体２が提手３から離脱し難くなる。
【００３５】
［第２の実施の形態］
図１５は、本発明の第２の実施の形態による袋体セットで用いられる袋体２の、開口部２ａを完全に開口した状態を示す概略斜視図であり、図２に対応している。図１５において、図２中の要素と同一又は対応する要素には同一符号を付し、その重複する説明は省略する。
【００３６】
本実施の形態が前記第１の実施の形態と異なる所は、可撓性低下片１１が３つの可撓性低下片１１Ａ，１１Ｂ，１１Ｃに分割されるとともに、可撓性低下片１１’が３つの可撓性低下片１１Ａ’，１１Ｂ’，１１Ｃ’に分割されている点のみである。
【００３７】
本実施の形態によっても、前記第１の実施の形態と同様の利点が得られる。
【００３８】
［第３の実施の形態］
図１６は、本発明の第３の実施の形態による袋体セットで用いられる袋体２の、開口部２ａを完全に開口した状態を示す概略斜視図であり、図２に対応している。図１６において、図２中の要素と同一又は対応する要素には同一符号を付し、その重複する説明は省略する。
【００３９】
本実施の形態が前記第１の実施の形態と異なる所は、可撓性低下片１１，１１’の他に、可撓性低下片１２，１２’が追加されている点のみである。可撓性低下片１２は、図１６中の手前側のシートにおける想像線Ｌ１と想像線Ｌ２とで区画された領域のうちの大部分の領域に付着され、可撓性低下片１２’は、図１６中の奥側のシートにおける想像線Ｌ１’と想像線Ｌ２’とで区画された領域のうちの大部分の領域に付着されている。
【００４０】
本実施の形態によっても、前記第１の実施の形態と同様の利点が得られる。
【００４１】
なお、可撓性低下片１２，１２’を設ける一方で、可撓性低下片１１，１１’を取り除いてもよい。この場合にも、前記第１の実施の形態と同様の利点が得られる。
【００４２】
［第４の実施の形態］
図１７は、本発明の第４の実施の形態による袋体セットで用いられる袋体２の、開口部２ａを完全に開口した状態を示す概略斜視図であり、図２に対応している。図１８は、本発明の第４の実施の形態による袋体セットの使用状態を示す概略断面図であり、図１４に対応している。図１７及び図１８において、図２及び図１４中の要素と同一又は対応する要素には同一符号を付し、その重複する説明は省略する。
【００４３】
本実施の形態が前記第１の実施の形態と異なる所は、可撓性低下片１１，１１ｂは設けられておらず、巻き折り部２ｂの下辺外側部に相当する箇所の少なくとも一部に、スリットＳが形成されている点のみである。理解を容易にするため、図１７において、スリットＳは太線で示しているが、幅広に形成されているわけではない。本実施の形態では、巻き折り部２ｂの下辺外側部に相当する箇所は、巻き折りの１回目の折りによって図１７中の奥側のシートの想像線Ｌ１’上に形成される折り線に相当する想像線Ｌ１’上であり、スリットＳは、図１７中の奥側のシートの想像線Ｌ１’上に形成されている。スリットＳの長さは、提手３の幅よりも広くなっている。本実施の形態では、スリットＳは想像線Ｌ１’の一方端部及び他方端部（すなわち、巻き折り部２ｂの一端及び他端に相当する箇所）には到達していない。したがって、スリットＳの付近の強度低下を低減することができる。もっとも、スリットＳは、想像線Ｌ１’の一方端部及び他方端部のいずかに到達してもよいし、想像線Ｌ１’の全体に渡って形成されて、想像線Ｌ１’の両端部に到達してもよい。
【００４４】
本実施の形態における袋体２では、当該袋体２とは別に用意された提手３と一緒に図１及び図１８に示すように用いることで手提げ袋として持ち運ぶことができる上に、製造時に提手３を当該袋体２に取り付ける必要がなくなるとともに持ち運ぶ際に当該袋体２の開口部２ａを閉じることができる。そして、本実施の形態における袋体２では、巻き折り部２ｂの下辺外側部に相当する箇所の少なくとも一部にスリットＳが形成されているので、提手３を持って持ち運ぶ際に、提手３の一部（対向片２２Ａの突起部２２ａ）がスリットＳに係合する。このため、本実施の形態によれば、当該袋体２内に収容する物品の重量が大きくても、巻き折り部２ｂが巻き解かれ難くなるため、当該袋体２が提手３から離脱し難くなる。
【００４５】
前記第１乃至第３の実施の形態において、袋体２に前記スリットＳを形成してもよい。この場合、袋体２内に収容する物品の重量が大きくても、巻き折り部２ｂがより巻き解かれ難くなるため、当該袋体２が提手３からより離脱し難くなる。
【００４６】
以上、本発明の各実施の形態について説明したが、本発明はこれらの実施の形態に限定されるものではない。例えば、本発明による袋体と一緒に用いる提手は、必ずしも図２乃至図１３に示す提手３に限定されるものではない。
【符号の説明】
【００４７】
１  袋体セット
２  袋体
２ａ  開口部
２ｂ  巻き折り部
３  提手
１１，１１’，１２，１２’可撓性低下片
２２  胴部
２２Ａ，２２Ｂ  対向片
２２ａ，２２ｂ  突起部
スリットＳ
【図１】
2014237461.tif 000003
【図２】
2014237461.tif 000004
【図３】
2014237461.tif 000005
【図４】
2014237461.tif 000006
【図５】
2014237461.tif 000007
【図６】
2014237461.tif 000008
【図７】
2014237461.tif 000009
【図８】
2014237461.tif 000010
【図９】
2014237461.tif 000011
【図１０】
2014237461.tif 000012
【図１１】
2014237461.tif 000013
【図１２】
2014237461.tif 000014
【図１３】
2014237461.tif 000015
【図１４】
2014237461.tif 000016
【図１５】
2014237461.tif 000017
【図１６】
2014237461.tif 000018
【図１７】
2014237461.tif 000019
【図１８】
2014237461.tif 000020